(57)【要約】医療用液体収納用容器体（１）は、容器本体（２）と、容器本体（２）の上面に、回動可能に取り付けられた吊下用部材（４）とを備える。容器本体（２）は、上面にピン状突起（２３）を含む吊下用部材保持部を備える。吊下用部材は、ピン状突起が貫通する貫通孔（４５）を有するベース部（４０）と、ベース部（４０）の一端側から側方に延びる折り曲げ可能なヒンジ部（４３ａ，４３ｂ）と、ヒンジ部と連結した起立操作部（４２）とを有し、かつ、起立操作部（４２）の下面と容器本体（２）の上面との間に隙間（１５）を備えている。
2015098920.tif 000002
【特許請求の範囲】
【請求項１】
下部に排出用開口部を有する容器本体と、前記容器本体の上面部に、前記容器本体に対して回動可能に取り付けられた吊下用部材とを備える医療用液体収納用容器体であって、  前記容器本体は、前記上面部に設けられ、上方に向かって突出し、かつ、上部に膨出部を有するピン状突起を備える吊下用部材保持部を有し、  前記吊下用部材は、前記ピン状突起が貫通する貫通孔を有する板状のベース部と、前記ベース部の一端側から側方に延びる折り曲げ可能なヒンジ部と、前記ヒンジ部の前記ベース部側と反対側の端部に連結した起立操作部とを備え、前記吊下用部材は、前記貫通孔を前記ピン状突起が貫通し、かつ、前記ベース部の前記貫通孔の周囲の上面が前記膨出部と当接することにより、前記容器本体の前記上面部に回動可能かつ離脱しないように取り付けられており、  前記吊下用部材は、前記ヒンジ部を屈曲させることにより、前記起立操作部を上方に向かって起立可能であり、かつ、起立した前記起立操作部内に前記容器本体を吊り下げるための吊下部が形成されるものとなっており、  さらに、前記吊下用部材の全体は、前記容器本体の前記上面部よりも上方に位置しており、かつ、前記ヒンジ部を屈曲させる前の状態において、前記起立操作部の少なくとも前記ベース部側と反対側の端部の下面と前記容器本体の前記上面部との間に隙間が形成されていることを特徴とする医療用液体収納用容器体。
【請求項２】
前記ベース部は、ベース部本体と、前記貫通孔を有する貫通孔保有部とを備え、前記吊下用部材は、前記貫通孔保有部を挟むように前記ベース部本体の一端側から側方に延びる折り曲げ可能な２つの前記ヒンジ部を備え、前記起立操作部は、２つの前記ヒンジ部の前記ベース部側と反対側の端部同士を連結するＵ字状となっており、かつ、２つの前記ヒンジ部が屈曲する部分を結ぶ仮想線は、前記貫通孔の中心軸付近を通過するものとなっている請求項１に記載の医療用液体収納用容器体。
【請求項３】
前記隙間は、前記起立操作部の前記ベース部側と反対側の端部に向かって広がるものとなっている請求項１または２に記載の医療用液体収納用容器体。
【請求項４】
前記医療用液体収納用容器体は、前記吊下用部材を前記ピン状突起の上部方向に押し上げることにより、前記隙間が広がるとともに、前記吊下用部材の前記貫通孔の周縁部付近の下面と前記容器本体の前記上面部との間に空隙が形成されるものである請求項１ないし３のいずれかに記載の医療用液体収納用容器体。
【請求項５】
前記吊下用部材は、前記ヒンジ部を屈曲させる前の状態において、前記ピン状突起を軸芯として一周回動させたとき、回動中に前記隙間が常に形成されるものとなっている請求項１ないし４のいずれかに記載の医療用液体収納用容器体。
【請求項６】
起立する前の前記起立操作部は、前記容器本体の前記上面部よりも側方に突出可能である請求項１ないし５のいずれかに記載の医療用液体収納用容器体。
【請求項７】
前記容器本体の前記上面部は、平面視において、短軸と長軸とを有し、前記吊下用部材は、前記貫通孔の中心から前記起立操作部の前記ベース部側と反対側の端部までの距離が、前記短軸の長さの１／２よりも長く、前記長軸の長さの１／２より短いものとなっている請求項１ないし６のいずれかに記載の医療用液体収納用容器体。
【請求項８】
前記吊下用部材は、前記ヒンジ部の屈曲軸が前記短軸と平行な状態では、平面視において前記吊下用部材の全体が前記容器本体の外縁の内側に位置するものである請求項７に記載の医療用液体収納用容器体。
【請求項９】
前記隙間は、前記ヒンジ部を屈曲させる前の状態において、前記起立操作部の下面全体と前記容器本体の前記上面部との間に形成されている請求項１ないし８のいずれかに記載の医療用液体収納用容器体。
【請求項１０】
前記起立操作部の下面は、前記ヒンジ部を屈曲させる前の状態において、前記ベース部の前記貫通孔の周縁部の下面よりも下方に突出していない請求項１ないし９のいずれかに記載の医療用液体収納用容器体。
【請求項１１】
前記吊下用部材の前記ベース部の下面には、少なくとも、前記ヒンジ部近傍から、前記ベース部の前記一端側と反対側の端部まで、前記ベース部の外縁に沿って突出部が形成されている請求項１ないし１０のいずれかに記載の医療用液体収納用容器体。
【請求項１２】
前記膨出部は、前記ピン状突起の上部を軟化または溶融することにより形成されており、前記容器本体と前記吊下用部材とは、互いに熱溶着し難い材料からなる請求項１ないし１１のいずれかに記載の医療用液体収納用容器体。
【請求項１３】
請求項１ないし１２のいずれかに記載の医療用液体収納用容器体と、前記排出用開口部を封止するとともに、薬剤排出用針の接続が可能な排出ポートと、前記医療用液体収納用容器体内に充填された薬剤とを備えることを特徴とする薬剤充填済み医療用容器。
【発明の詳細な説明】
【技術分野】
【０００１】  本発明は、吊下用部材を備えた医療用液体収納用容器体およびそれを用いた薬剤充填済み医療用容器に関する。
【背景技術】
【０００２】  吊り下げ用の吊り具が上面部に取り付けられた医療用容器が、いくつか提案されている。例えば、特許３５９４２８０号公報（特許文献１）に「吊具付容器の製造方法」が開示されている。  特許文献１の吊具付容器は、容器本体（１）と吊り具（２）を備える。容器本体は、底面（１５）の外周側には、リブとして機能する折返し部（１５Ｃ）が設けられている。吊り具（２）は、図４に示す様に、底面（１５）の凹没部分にほぼ嵌合する形状になされている。具体的には、吊り具（２）は、外郭を略矩形の平面形状になされた帯状の枠部（２１）と、枠部（２１）の１組の対角を連結する帯状の連結部（２２）と、連結部（２２）の中央（枠部（２１）の中心）に位置し且つ円盤状になされた固定部（２３）とから構成される。吊り具（２）の連結部（２２）の基端部分であって、容器本体（１）の底面（１５）に対峙する枠部（２１）の表面には、連結部（２２）の側縁に沿って枠部（２１）を対称に折り曲げるための各一対の溝（２１ｅ）が設けられる。斯かる溝（２１ｅ）を利用し、枠部（２１）の隣接する２辺を１組として各組ごとに三角形状に折り曲げられることにより、吊り具（２）は、容器本体（１）の底面（１５）から突出する吊り下げ手段として機能する。すなわち、図３及び図４に示す容器を吊り下げる場合は、容器本体（１）の底面（１５）に取り付けられた吊り具（２）の枠部（２１）を折り曲げることにより、底面（１５）から突出する略三角形状の１組のベルトを形成する。従って、図６に示す様に、折り曲げた吊り具（２）をフック等に掛止することにより、容器本体（１１）を転倒状態で吊り下げることができるものとなっている。
【先行技術文献】
【特許文献】
【０００３】
【特許文献１】特許３５９４２８０号公報
【発明の概要】
【発明が解決しようとする課題】
【０００４】  特許文献１のものでは、図３及び図４に示す容器を吊り下げる場合は、容器本体（１）の底面（１５）に取り付けられた吊り具（２）の枠部（２１）を折り曲げることにより、底面（１５）から突出する略三角形状の１組のベルトを形成することが必要である。しかし、容器本体の上面部に近接する吊り具（２）の枠部（２１）を折り曲げることは困難であり、場合によっては、吊り具（２）の枠部と容器本体との間に平板状のものを挿入して、引き起こす必要がある。また、吊り具（２）が、容器本体（１）の底面（１５）の凹没部分にほぼ嵌合する形状のため、折り曲げた吊り具（２）の一部が底面（１５）の折返し部（１５Ｃ）に引っ掛かり、吊下部材を基点として吊具付容器を回動させ難い恐れがある。  そこで、本発明では、熱可塑性樹脂製容器本体と、容器本体の上面部に、回動可能に取り付けられた吊下用部材とを備え、吊下用部材の一部を起立させることにより、輸液用スタンドに吊り下げ可能となる医療用液体収納用容器体であって、吊下用部材の起立操作が容易であり、かつ、スタンドに吊り下げられた容器体が、吊下部材を基点として、良好に回動可能である医療用液体収納用容器体およびそれを用いた薬剤充填済み医療用容器を提供するものである。
【課題を解決するための手段】
【０００５】  上記目的を達成するものは以下のものである。  下部に排出用開口部を有する容器本体と、前記容器本体の上面部に、前記容器本体に対して回動可能に取り付けられた吊下用部材とを備える医療用液体収納用容器体であって、  前記容器本体は、前記上面部に設けられ、上方に向かって突出し、かつ、上部に膨出部を有するピン状突起を備える吊下用部材保持部を有し、  前記吊下用部材は、前記ピン状突起が貫通する貫通孔を有する板状のベース部と、前記ベース部の一端側から側方に延びる折り曲げ可能なヒンジ部と、前記ヒンジ部の前記ベース部側と反対側の端部に連結した起立操作部とを備え、前記吊下用部材は、前記貫通孔を前記ピン状突起が貫通し、かつ、前記ベース部の前記貫通孔の周囲の上面が前記膨出部と当接することにより、前記容器本体の前記上面部に回動可能かつ離脱しないように取り付けられており、  前記吊下用部材は、前記ヒンジ部を屈曲させることにより、前記起立操作部を上方に向かって起立可能であり、かつ、起立した前記起立操作部内に前記容器本体を吊り下げるための吊下部が形成されるものとなっており、  さらに、前記吊下用部材の全体は、前記容器本体の前記上面部よりも上方に位置しており、かつ、前記ヒンジ部を屈曲させる前の状態において、前記起立操作部の少なくとも前記ベース部側と反対側の端部の下面と前記容器本体の前記上面部との間に隙間が形成されている医療用液体収納用容器体。【０００６】  また、上記目的を達成するものは以下のものである。  上記の医療用液体収納用容器体と、前記排出用開口部を封止するとともに、薬剤排出用針の接続が可能な排出ポートと、前記医療用液体収納用容器体内に充填された薬剤とを備える薬剤充填済み医療用容器。
【図面の簡単な説明】
【０００７】
【図１】図１は、本発明の医療用液体収納用容器体を用いた薬剤充填済み医療用容器の一実施例の正面図である。
【図２】図２は、図１に示した薬剤充填済み容器体の平面図である。
【図３】図３は、図１に示した薬剤充填済み容器体の右側面図である。
【図４】図４は、図１のＡ−Ａ線断面図である。
【図５】図５は、本発明の医療用液体収納用容器体の上部部分を説明するための説明図である。
【図６】図６は、図１に示した薬剤充填済み容器体に用いられている吊下用部材の正面図である。
【図７】図７は、図６に示した吊下用部材の右側面図である。
【図８】図８は、図６に示した吊下用部材の平面図である。
【図９】図９は、図６に示した吊下用部材の底面図である。
【図１０】図１０は、図８のＢ−Ｂ線断面図である。
【図１１】図１１は、図６に示した吊下用部材の平面側斜視図である。
【図１２】図１２は、図６に示した吊下用部材の底面側斜視図である。
【図１３】図１３は、本発明の医療用液体収納用容器体を用いた薬剤充填済み医療用容器の作用を説明するための説明図である。
【図１４】図１４は、本発明の医療用液体収納用容器体を用いた薬剤充填済み医療用容器の作用を説明するための説明図である。
【図１５】図１５は、本発明の医療用液体収納用容器体を用いた薬剤充填済み医療用容器の作用を説明するための説明図である。
【図１６】図１６は、本発明の医療用液体収納用容器体に用いられる別の態様の吊下用部材の平面図である。
【図１７】図１７は、図１６に示した吊下用部材の底面図である。
【図１８】図１８は、本発明の医療用液体収納用容器体における容器本体への吊下用部材の取付方法を説明するための説明図である。
【図１９】図１９は、本発明の医療用液体収納用容器体における容器本体への吊下用部材の取付方法を説明するための説明図である。
【図２０】図２０は、本発明の医療用液体収納用容器体における容器本体への吊下用部材の取付方法を説明するための説明図である。
【図２１】図２１は、本発明の医療用液体収納用容器体における容器本体への吊下用部材の取付方法を説明するための説明図である。
【図２２】図２２は、本発明の医療用液体収納用容器体における容器本体への吊下用部材の取付方法を説明するための説明図である。
【図２３】図２３は、本発明の医療用液体収納用容器体における容器本体への吊下用部材の取付方法を説明するための説明図である。
【図２４】図２４は、本発明の医療用液体収納用容器体における容器本体への吊下用部材の取付方法を説明するための説明図である。
【発明を実施するための形態】
【０００８】  本発明の医療用液体収納用容器体および薬剤充填済み医療用容器を図面に示す実施例を用いて説明する。  本発明の薬剤充填済み医療用容器１０は、図１ないし図４に示すように、医療用液体収納用容器体１と、医療用液体収納用容器体１の排出用開口部２２を封止するとともに、薬剤排出用針の接続が可能な排出ポート３と、医療用液体収納用容器体１内に充填された薬剤５とを備える。
【０００９】  本発明の医療用液体収納用容器体１は、図１ないし図１５に示すように、下部に排出用開口部２２を有する容器本体２と、容器本体２の上面部２６に、回動可能に取り付けられた吊下用部材４とを備える。  容器本体２は、上面部２６に設けられ、上方に向かって突出し、かつ、上部に膨出部２４を有するピン状突起２３を備える吊下用部材保持部を有する。吊下用部材４は、ピン状突起２３が貫通する貫通孔を有する板状のベース部４０と、ベース部４０の一端側から側方に延びる折り曲げ可能なヒンジ部４３（４３ａ，４３ｂ）と、ヒンジ部４３（４３ａ，４３ｂ）のベース部４０側と反対側の端部に連結した起立操作部４２とを備える。吊下用部材４は、貫通孔４５をピン状突起２３が貫通し、かつ、ベース部４０の貫通孔４５の周囲の上面が膨出部２４と当接することにより、容器本体２の上面部２６に回動可能かつ離脱しないように取り付けられている。そして、吊下用部材４は、ヒンジ部４３（４３ａ，４３ｂ）を屈曲させることにより、起立操作部４２を上方に向かって起立可能であり、かつ、起立した起立操作部４２内に容器本体を吊り下げるための吊下部１４が形成されるものとなっている。さらに、吊下用部材４の全体は、容器本体２の上面部２６よりも上方に位置しており、かつ、ヒンジ部４３（４３ａ，４３ｂ）を屈曲させる前の状態において、起立操作部４２の少なくともベース部４０側と反対側の端部の下面４１ｂと容器本体２の上面部２６との間に隙間が形成されている。
【００１０】  本発明の医療用液体収納用容器体１は、図１ないし図４に示すように、熱可塑性樹脂製容器本体２と、容器本体２の上面部２６に、回動可能に取り付けられた吊下用部材４とからなる。
【００１１】  そして、本発明の医療用液体収納用容器体１では、図５に示すように、吊下用部材４が最も下方に位置した状態（言い換えれば、吊下用部材４が最も容器本体２の上面部２６に近接する状態）においても、ヒンジ部４３（４３ａ，４３ｂ）を屈曲させる前の状態において、吊下用部材４の起立操作部４２の下面と容器本体２の上面部２６との間に隙間１５を有するものとなっている。これにより、起立操作部４２の端部に指先を引掛けやすくなり、起立操作部４２の起立操作が容易になる。なお、この隙間１５は、ヒンジ部４３（４３ａ，４３ｂ）を屈曲させる前の状態において、吊下用部材４の起立操作部４２の少なくともベース部４０側と反対側の端部の下面と容器本体２の上面部２６との間に形成されていればよい。また、この隙間１５は、ヒンジ部４３（４３ａ，４３ｂ）を屈曲させる前の状態において、起立操作部４２の下面全体と容器本体２の上面部２６との間に形成されていることが好ましい。
【００１２】  また、この実施例の医療用液体収納用容器体１では、図１および図５に示すように、吊下用部材４の起立操作部４２の下面と容器本体２の上面部２６との間の隙間１５は、ヒンジ部４３（４３ａ，４３ｂ）を屈曲させる前の状態において、起立操作部４２の端部に向かって、具体的には、起立操作部４２のベース部４０側と反対側の端部に向かって広がるものとなっている。よって、起立操作部４２の起立操作時に上方に押される端部は、特に広い隙間を有しており、起立操作がさらに容易なものとなっている。
【００１３】  なお、この実施例では、容器本体２の上面部２６が、ピン状突起２６の下端部に向かって凸状に湾曲しており、これにより、起立操作部４１の下面が貫通孔４５の中心軸と垂直でありながら、起立操作部４２の下面と容器本体２の上面部２６との間の隙間１５が、起立操作部４２のベース部４０側と反対側の端部に向かって広がるものとなっている。
【００１４】  さらに、この実施例の医療用液体収納用容器体１では、図５の状態において、吊下用部材４をピン状突起２３の上部（上端）方向に押し上げることにより、吊下用部材４の起立操作部４２の下面と容器本体２の上面部２６との間の隙間１５は、さらに広がるものとなっている。具体的には、図５の状態において、吊下用部材４をピン状突起２３の上端方向に押し上げることにより、図１の状態となるまで、すなわち、吊下用部材４が膨出部２４の下面に当接するまで、容器本体２の上面部２６より離間する方向に移動する。これにより、吊下用部材４の起立操作部４２の下面と容器本体２の上面部２６との間の隙間１５は、さらに広がるため、起立操作がさらに容易となり、かつ、吊下用部材４の回動が容易かつ確実なものとなっている。  さらに、この実施例の医療用液体収納用容器体１では、吊下用部材４は、ヒンジ部４３を屈曲させる前の状態において、ピン状突起２３を軸芯として一周回動（一回転）させたとき、回動中に隙間１５が常に形成されるものとなっている。これにより、起立操作部４２をピン状突起２３の周囲でどのような方向に向けても、起立操作部４２の端部に指先を引掛けやすくなり、起立操作部４２の起立操作が容易になる。
【００１５】  容器本体２は、図１ないし図４に示すように、扁平状の外形を有し、内部に薬剤収納室を有する筒状本体部２１と、排出用開口部２２と、閉塞した上面部２６を有している。筒状本体部２１は、下端に向かって縮径し、下端が排出用開口部２２となっている。そして、筒状本体部２１は、扁平状に形成されており、ある程度の面積を有する第１の平板シート部２１ａと、この第１の平板シート部２１ａと向かい合い、ほぼ同じ大きさを有する第２の平板シート部２１ｂと、第１の平板シート部２１ａの一方の側部と第２の平板シート部２１ｂの一方の側部を繋ぐ湾曲した第１の側部２１ｃと、第１の平板シート部２１ａの他方の側部と第２の平板シート部２１ｂの他方の側部を繋ぐ湾曲した第２の側部２１ｄとを備えている。そして、第１の平板シート部２１ａ、第２の平板シート部２１ｂ、第１の側部２１ｃおよび第２の側部２１ｄは、可撓性を有している。そして、容器本体２は、内部に充填された薬液の排出とともに、第１の側部２１ｃおよび第２の側部２１ｄが折れ曲がるように変形し、第１の平板シート部２１ａと第２の平板シート部２１ｂは、接触し、内部容量が減少するものとなっている。
【００１６】  また、排出用開口部２２には、フランジ部２５が設けられている。上面部２６は、容器本体２の閉塞した天井部を形成している。上面部２６の中央部は、略平坦部となっており、この平坦部に吊下用部材保持部が形成されている。この実施例の容器体１では、吊下用部材保持部は、上面部２６より上方に突出するピン状突起２３と、その上端（先端）に形成された膨出部２４を備えている。この膨出部２４は、ベース部４０の貫通孔保有部４４（貫通孔４５の周囲）の上面と係合可能である。これにより、吊下用部材４が、容器本体２の上面部２６に回動可能かつ離脱しないように取り付けられる。また、膨出部２４は、ピン状突起２３の上端部を軟化または溶融することにより形成されている。また、膨出部２４は、略半球状のものとなっており、下面に環状平坦部を有している。特に、この実施例では、上端部を溶融して膨出部２４を形成する前のピン状突起２３は、図１８に示すように、上端（先端）に向かって縮径するものとなっている。なお、吊下用部材保持部の形態は、上記のものに限定されない。例えば、ピン状突起の上端に別部材であるキャップを固定し、膨出部を形成したものであってもよい。また、ピン状突起の上端付近に、ベース部４０の貫通孔４５よりも縮径した縮径部を設け、この縮径部より上端側を膨出部としてもよい。
【００１７】  容器本体２としては、ある程度の保形性を有するものに、内部の液体の排出により、向かい合いかつ広い側面を有する部分が徐々に近接し、つぶれていくもの（容器本体の厚さ方向につぶれるもの）が好適である。よって、容器本体２は、ある程度の硬度と可撓性を有し（かつ実質的に柔軟性を持たず）かつ薄肉のものにより形成され、側壁が内側に可撓可能なものとなっている。容器本体２は、熱可塑性樹脂製容器本体であることが好ましい。容器本体２の形成材料である熱可塑性樹脂としては、例えば、ポリオレフィン（ポリエチレン、ポリプロピレン、エチレン−プロピレンコポリマー、ポリプロピレンとポリエチレンもしくはポリブテンの混合物）、ポリエステル（ポリエチレンテレフタレート、ポリブチレンテレフタレート）、ポリアミド、ポリ塩化ビニリデン、 ポリフッ化ビニリデンなど等が挙げられる。この中でも、耐熱性に優れたポリプロピレン系樹脂が最も好ましい。
【００１８】  また、容器本体２は、例えば、有底パリソンを使用する二軸延伸ブロー法によって作製することが好ましい。さらに、有底パリソンの突起により、上記ピン状突起を形成することが好ましい。容器本体２の内容積としては、５０〜８００ｍｌが好ましく、ピン状突起２３の直径は２〜５ｍｍ程度が好ましい。また、容器本体２の厚さは、１５〜５０ｍｍが好ましく、容器本体の幅は、６０〜１５０ｍｍ、容器本体の長さは１１０〜２５０ｍｍであることが好ましい。
【００１９】  吊下用部材４は、図１ないし図４、図１３ないし図１５に示すように、容器本体２の上面部２６に、回動可能に取り付けられている。  この実施例の吊下用部材４は、ピン状突起２３が貫通する貫通孔を有する板状のベース部４０と、ベース部４０の一端側から側方に延びる折り曲げ可能なヒンジ部４３（４３ａ，４３ｂ）と、ヒンジ部４３（４３ａ，４３ｂ）のベース部４０側と反対側の端部に連結した起立操作部４２とを備える。そして、ベース部４０は、ベース部本体４１と、貫通孔４５を有する貫通孔保有部４４を備える。２つのヒンジ部４３ａ，４３ｂは、貫通孔保有部４４を挟むようにベース部本体４１の一端側から側方に延びる折り曲げ可能なものとなっている。
【００２０】  起立操作部４２は、２つのヒンジ部４３ａ，４３ｂのベース部４０側と反対側の端部同士を連結するＵ字状となっている。そして、２つのヒンジ部４３ａ，４３ｂが屈曲する部分を結ぶ仮想線Ｘは、貫通孔４５の中心軸付近を通過するものとなっている。このようにすることにより、２つの屈曲部４３ｃと貫通孔４５の中心軸（言い換えれば、ピン状突起の中心軸）がほぼ直線上となるため、医療用液体収納用容器体１の吊り下げ状態がより安定したものとなる。
【００２１】  そして、吊下用部材４は、ヒンジ部４３を屈曲させることにより、起立操作部４２を上方に向かって起立可能である。さらに、吊下用部材４の全体は、容器本体２の上面部２６よりも上方に位置している。そして。ヒンジ部４３（４３ａ，４３ｂ）を屈曲させる前の状態において、起立操作部４２の少なくともベース部４０側と反対側の端部（言い換えれば、起立操作部４２の湾曲部）の下面４１ｂと容器本体２の上面部２６との間に隙間を有するものとなっている。
【００２２】  ベース部４０は、図８、図９、図１１および図１２に示すように、吊下用部材４の一端側を形成し、起立操作部４２は、ベース部４０と向かい合い、吊下用部材の他端側を形成している。そして、ベース部４０と起立操作部４２は、２つのヒンジ部４３ａ，４３ｂにより連結された形態となっている。  この実施例のものでは、ベース部４０は、略矩形状の平板状のものとなっている。そして、この実施例の吊下用部材４では、図６ないし図１１に示すように、貫通孔保有部４４は、ベース部本体４１の一端側から側方に延び、中央部にピン状突出部２３の外径より若干大きい内径を有する貫通孔４５を備えている。
【００２３】  また、貫通孔保有部４４は、ベース部本体４１の上面より若干突出した肉厚部となっている。そして、貫通孔保有部４４の端部は、吊下用部材４の一端（言い換えれば、ベース部本体４１のヒンジ部４３側と反対側の端部）の中央部付近まで延びている。このため、肉厚の貫通孔保有部４４は、貫通孔４５を含むベース部４０の中央部を補強している。また、貫通孔保有部４４は、上記の端部に向かって、幅が徐々に狭くなっている。そして、貫通孔保有部４４の端部には、凹部６７が設けられており、この凹部６７の中心には、ゲート跡を有している。  また、この実施例の吊下用部材４は、図６、図７、図９および図１２に示すように、ベース部４０の下面４１ｂに下方（容器本体２の上面部２６方向）に延びる下面突出部４６ａ，４６ｂを有している。そして、下面突出部４６ａ，４６ｂは、少なくとも、ヒンジ部４３近傍から、ベース部４０の一端（ヒンジ部４３）側と反対側の端部まで、ベース部４０の外縁に沿って形成されている。
【００２４】  具体的には、下面突出部４６ａ，４６ｂはそれぞれ、ベース部本体４１の下面かつ２つの角部の各ヒンジ部４３ａ、４３ｂ近傍から、ベース部本体４１の一端（ヒンジ部４３）側と反対側の端部まで、ベース部本体４１の外縁に沿って延びるものとなっている。また、下面突出部４６ａ，４６ｂは、貫通孔保有部４４（貫通孔４５の周囲）の下面よりも下方に突出している。この下面突出部４６ａ，４６ｂを有することにより、起立操作部４２の下面と容器本体２の上面部２６との間に隙間１５が形成された状態で、ベース部４０の下面４１ｂと容器本体２の上面部２６との間への板状体（例えば、スリットを有する側壁を備えた容器トレイのスリット周囲の側壁）の進入を防止することができる。
【００２５】  なお、下面突出部４６ａ，４６ｂは、連続するものであってもよい。また、下面突出部４６ａ，４６ｂはそれぞれ、ベース部４０の下面４１ｂの外縁に沿って間欠的に形成された複数のリブからなるものあってもよい。また、ベース部本体４１の下面全体を突出部としてもよい。さらに、下面突出部４６ａ，４６ｂは、ベース部４０の一端（ヒンジ部４３）側と反対側の端部において、ベース部４０の中央付近まで延びていることが好ましい。具体的には、ベース部本体４１の２つの角部よりも内側まで延びていることが好ましい。これにより、吊下用部材４のスタンドへの吊下時に、ベース部本体４１の貫通孔保有部４４の両側に位置する部分が上方に向かって撓むことが防止され、医療用液体収納用容器体１に鉛直方向下向きの荷重がかかった際に、吊下用部材４が破損し難くなる。
【００２６】  また、この実施例の吊下用部材４では、貫通孔保有部４４（貫通孔４５の周囲）の上面は、貫通孔４５の上端縁に沿って一周、ほぼ平坦面となっている。このため、スタンドに吊り下げた状態の医療用液体収納用容器体１に鉛直方向下向きの荷重がかかった際に、貫通孔４５の上端縁に沿った一周に渡ってほぼ均一に力を受けるため、応力が集中せず、吊下用部材４が破損し難くなる。また、ベース部本体４１の上面４１ａは、ほぼ平坦面となっている。そして、貫通孔保有部４４の上面は、ベース部本体４１の上面４１ａより上方に突出している。このため、貫通孔保有部４４の下面をベース部本体４１の下面より下方に突出させることなく、貫通孔保有部４４をベース部本体４１より肉厚とすることができ、吊下用部材４が破損し難くなる。
【００２７】  起立操作部４２は、図８、図９、図１１、図１２および図１３に示すように、Ｕ字状に形成されており、ベース部側の端部である２つの足部（基端部）は、各ヒンジ部４３ａ，４３ｂのベース部側と反対側の端部（先端）と連結している。この起立操作部４２は、ベース部側と反対側の端部であるＵ字状の頭部（先端部）側をベース部方向に押し上げることにより、各ヒンジ部４３ａ，４３ｂが屈曲し、起立する。そして、起立した起立操作部４２は、図１３および図１４に示すように、内部に広い開口部１４を有し、輸液容器ハンガーのフックに吊下可能な吊下部として機能する。
【００２８】  また、この実施例の吊下用部材４では、図６，図８および図１１に示すように、起立操作部４２は、ベース部４０側と反対側の端部、すなわち、貫通孔保有部４４と向かい合う周縁部の上面に設けられた起立操作部突出部４９を備えている。このような起立操作部突出部４９を設けることにより、吊下用部材４のスタンドへの吊下時に、起立操作部４２のベース部４１側と反対側の端部が輸液容器ハンガーのフックに巻き付くように変形することが防止され、医療用液体収納用容器体１に鉛直方向下向きの荷重がかかった際に、吊下用部材４が破損し難くなる。また、起立操作部４２のベース部４０側と反対側の端部（先端部）の把持が容易なものとなる。  また、起立操作部４２は、図８、図９、図１１、図１２および図１３に示すように、上面側に設けられたＵ字状凹部５１が設けられており、下面側は、連続しないＵ字状の凹部６３が設けられている。下面側の凹部６３は、３つの凹部により構成されており、それらを繋ぐとＵ字状となる。
【００２９】  吊下用部材４は、図８、図９、図１１ないし図１５に示すように、２つのヒンジ部（言い換えれば、屈曲可能部、折曲可能部）４３ａ，４３ｂを備えている。ヒンジ部４３ａ，４３ｂは、ベース部４０の一端側の両側部より側方に所定幅にて延びるものとなっている。そして、各ヒンジ部４３ａ，４３ｂは、図６、図１０および図１２に示すように、ベース部４０および起立操作部４２に比べて薄肉部となっている。さらに、この実施例では、図６に示すように、各ヒンジ部４３ａ，４３ｂは、その中央部が、最も肉薄となっているため、ヒンジ部は、その中央部において図１３および図１４に示すように屈曲する。
【００３０】  また、この実施例の吊下用部材４では、図９、図１０、図１２に示すように、貫通孔保有部４４の下面側に設けられた複数（具体的には、３つ）の円弧状凹部４８を備えている。また、この円弧状凹部４８は、連続した環状凹部であってもよい。円弧状凹部４８は、貫通孔４５より若干離間し、かつ実質的に貫通孔４５と同心的となるように形成されている。このような円弧状凹部４８を設けることにより、吊下用部材の側部への衝撃付与時、起立操作部４２の起立操作時におけるピン状突起２３の破損を防止する。具体的には、円弧状凹部４８と貫通孔４５間の部分が、緩衝部として機能するため、吊下用部材に付与された力がピン状突起２３に伝達されることを抑制する。
【００３１】  また、この実施例の吊下用部材４では、図９、図１０、図１２に示すように、貫通孔４５の下部は、上面側に向かって拡径するテーパー部４７となっている。このようなテーパー部４７を設けることにより、容器本体２のピン状突起２３への吊下用部材４の貫通孔４５の挿入が容易なものとなる。また、この実施例の吊下用部材４では、図９、図１０、図１２に示すように、ベース部本体４１の下面４１ｂの基端中央部より下方に突出する突起６８が設けられている。突起６８は、ベース部４０の下面突出部４６ａ，４６ｂの内側端部間に位置している。このような突起を設けることにより、起立操作部４２の起立操作時における吊下用部材４のベース部４０がより安定したものとなる。
【００３２】  そして、吊下用部材４は、図８ないし図１３に示すように、貫通孔保有部４４と起立操作部４２間に設けられた開口部（吊下部）１４を備えている。この実施例の吊下用部材４では、貫通孔保有部４４のベース部本体４１側と反対側の端部（先端）と起立操作部４２のベース部４０側と反対側の端部（先端部）の内面間は、十分に離間しており、かなり広い開口部１４となっている。さらに、この実施例の吊下用部材４は、開口部１４と連続し、貫通孔保有部４４と各ヒンジ部４３ａ，４３ｂ間に位置する２つのスリット部１４ａ，１４ｂを有している。貫通孔保有部４４と各ヒンジ部４３ａ，４３ｂ間にスリット部１４ａ，１４ｂが設けられていることにより、言い換えれば、貫通孔保有部４４と各ヒンジ部４３ａ，４３ｂが、スリット部１４ａ，１４ｂにより分断されていることにより、ヒンジ部における屈曲が容易かつ確実なものとなっている。そして、ヒンジ部４３ａ、４３ｂ間に、貫通孔保有部を有するため、医療用液体収納用容器体１の吊り下げ状態が安定したものとなる。
【００３３】  また、図２および図１５に示すように、容器本体２の上面部２６は、平面視において、短軸Ｚと長軸Ｙとを有し、吊下用部材４は、貫通孔４５の中心（膨出部２４の中心）から起立操作部４２のベース部４０側と反対側の端部までの距離Ｌが、短軸Ｚの長さの１／２よりも長く、長軸Ｙの長さの１／２より短いものとなっている。このため、図１５に示すように、吊下用部材４は、図２に示す状態より、回動することにより、起立操作部４２が、容器本体２の上面部２６よりも側方に突出可能なものとなっている。このような状態となることにより、起立操作時の起立操作部４２の把持が容易となる。また、図２に示すように、吊下用部材４は、ヒンジ部４３の屈曲軸Ｘ（図８参照）が短軸と平行な状態では、平面視において吊下用部材４の全体が容器本体２の外縁の内側に位置するものとなっている。このような状態となることにより、保管や輸送時に吊下用部材４が容器本体２よりも側方に突出して邪魔となることがない。
【００３４】  なお、吊下用部材４は、図１５に示すように、容器本体２の平面視における短軸Ｚの中点付近にピン状突起２３（膨出部２４）の中心が位置する状態において、起立操作部４２が、容器本体２の上面部２６よりも側方に突出可能なものとなっている。また、この実施例における容器本体２では、図１５に示すように、上面部２６は、第１の平板シート部２１ａの上縁よりピン状突起２３に向かって傾斜する第１の傾斜部２６ａと、第２の平板シート部２１ｂの上縁よりピン状突起２３に向かって傾斜する第２の傾斜部２６ｂとを備えており、上面部２６（容器本体２の上部）は、ピン状突起２３に向かって（言い換えれば、容器本体２の上端に向かって）、幅（容器本体の厚み）が徐々に狭くなるものとなっている。このため、図１５に示すような吊下用部材４の起立操作部４２が、第１の平板シート部２１ａもしくは第２の平板シート部２１ｂの上方に位置する状態において、起立操作部４２の下面と上面部２６間（傾斜部２６ａ，２６ｂ間）に十分な隙間が形成されるものとなっている。
【００３５】  さらに、この実施例における容器本体２では、図１５に示すように、上面部２６は、第１の側部２１ｃの上縁よりピン状突起２３に向かって大きく湾曲する湾曲肩部２６ｃと、第２の側部２１ｄの上縁よりピン状突起２３に向かって大きく湾曲する第２の湾曲肩部２６ｄとを備えており、上面部２６（容器本体２の上部）は、ピン状突起２３に向かって（言い換えれば、容器本体２の上端に向かって）、幅が徐々に、かつなだらかに狭くなるものとなっている。このため、図２および図５に示すような吊下用部材４の起立操作部４２が、第１の湾曲肩部２６ｃもしくは第２の湾曲肩部２６ｄの上方に位置する状態において、起立操作部４２の下面と上面部２６間（湾曲肩部２６ｃ，２６ｄ間）に十分な隙間が形成されるものとなっている。
【００３６】  また、本発明において、容器本体２の上面部２６とは、容器本体２の外面に対する接線Ｔのピン状突起の突出方向に垂直な平面Ｐとなす角度αが４５度以下である部分を指すものと考えてもよい。この場合、容器本体２の上面部２６は、図１５に示すように、破線に囲まれた部分となり、容器本体２の上面部２６の短軸および長軸はそれぞれ、Ｚ１およびＹ１となる。
【００３７】  本発明の医療用液体収納用容器体に用いられる吊下用部材は、上述したタイプのものに限定されるものではなく、例えば、図１６および図１７に示すようなタイプの吊下用部材４ａであってもよい。  図１６は、本発明の医療用液体収納用容器体に用いられる別の態様の吊下用部材の平面図である。図１７は、図１６に示した吊下用部材の底面図である。  この吊下用部材４ａと上述した吊下用部材４の基本構成は、ベース部、ヒンジ部および起立操作部を有する点において同じである。
【００３８】  この実施例の吊下用部材４ａは、ピン状突起２３が貫通する貫通孔４５を有する板状のベース部４０と、ベース部４０の一端側から側方に延びる折り曲げ可能なヒンジ部４３と、ヒンジ部４３のベース部４０側と反対側と連結した起立操作部４２ａとを備える。吊下用部材４ａは、ヒンジ部４３を屈曲させることにより、起立操作部４２ａを上方に向かって起立可能であり、かつ、起立した起立操作部４２ａ内に容器本体を吊り下げるための吊下部１４が形成されるものとなっている。そして、この吊下用部材４ａを用いる医療用容器体においても、吊下用部材４ａの全体は、容器本体２の上面部２６よりも上方に位置しており、かつ、起立操作部４１の下面と容器本体２の上面部２６との間に隙間１５を有する。  吊下用部材４ａは、図１６および図１７に示すように、貫通孔保有部４４を有するベース部４０と、ベース部４０の一端側側部の全体より延びるヒンジ部４３と、ヒンジ部４３の一端側側部と連結した起立操作部４２ａを備えている。
【００３９】  ベース部４０は、図１６および図１７に示すように、吊下用部材４ａの一端側を形成し、起立操作部４２ａは、ベース部４０と向かい合い、吊下用部材の他端側を形成している。そして、ヒンジ部４３は、ベース部４０と起立操作部４２ａ間に位置するものとなっている。また、ベース部４０と起立操作部４２ａは、ヒンジ部４３により連結したものとなっている。
【００４０】  ベース部４０は、略矩形状の平板状のものとなっている。この吊下用部材４ａでは、図１６および図１７に示すように、ベース部４０は、ピン状突起２３が貫通する貫通孔４５を有する貫通孔保有部４４を備えている。貫通孔保有部４４は、ベース部４０の中央部に設けられている。そして、貫通孔保有部４４は、中央部に貫通孔４５を備えている。貫通孔４５は、ピン状突出部２３の外径より若干大きい内径を有している。また、貫通孔保有部４４の上面は、平坦面となっている。そして、この実施例の吊下用部材４ａは、図１７に示すように、上述した吊下用部材４と同様に、ベース部４０の下面４１ｂに下方（容器本体２の上面部２６方向）に延びる下面突出部４６ａ，４６ｂを有している。
【００４１】  起立操作部４２ａは、図１６および図１７に示すように、吊下部１４を形成可能な円弧状のもの、言い換えれば、欠損部６５を有する環状に形成されている。なお、起立操作部４２ａとしては、欠損部を持たない環状のもの、上述した実施例の吊下用部材４の起立操作部４２のようなＵ字状のものであってもよい。  起立操作部４２ａのベース部４０側の端部である足部４２ｂ（基端部）は、ヒンジ部４３のベース部４０側と反対側の端部（先端）と連結している。この起立操作部４２ａは、ベース部４０側と反対側の端部（先端部）側をベース部４０方向に押し上げることにより、ヒンジ部４３が屈曲し、起立する。そして、起立した起立操作部４２ａは、内部に広い開口部（吊下部）１４を有し、輸液容器ハンガーのフックに吊下可能な吊下部として機能する。また、この実施例の吊下用部材４ａにおいても、図１６および図１７に示すように、起立操作部４２ａは、ベース部４０側と反対側の端部、すなわち、貫通孔保有部４４と向かい合う周縁部の上面に設けられた起立操作部突出部４９を備えている。  また、起立操作部４２ａは、図１６および図１７に示すように、上面側に設けられた円弧状凹部５１が設けられており、下面側にも円弧状凹部６３が設けられている。
【００４２】  吊下用部材４ａは、図１６および図１７に示すように、一つの長いヒンジ部（言い換えれば、屈曲可能部、折曲可能部）４３を備えている。ヒンジ部４３は、ベース部４０の一端側側部（先端部）のほぼ全面より側方に延びるものとなっている。なお、ヒンジ部４３は、起立操作部４２ａの足部４２ｂと連結する部分に設けられ、ベース部４０の一端側側部（先端部）の一部より側方に延びるものであってもよい。  そして、ヒンジ部４３は、ベース部４０および起立操作部４２ａに比べて薄肉部となっている。この実施例では、ヒンジ部４３は、その中央部が、最も肉薄となっているため、ヒンジ部は、その中央部において容易に屈曲する。
【００４３】  また、この実施例の吊下用部材４ａは、図１７に示すように、下面側に設けられた環状の凹部４８ａを備えている。また、この環状凹部４８ａにより、短い筒状部４８ｂが形成されている。環状状凹部４８ａは、貫通孔４５より若干離間し、かつ実質的に貫通孔４５と同心的となるように形成されている。なお、環状凹部４８ａの代わりに、上述した吊下用部材４が備える複数の円弧状凹部を設けてもよい。また、図１６に示すように、この実施例の吊下用部材４ａにおいても、貫通孔４５の中心から起立操作部４２ａのベース部４０側と反対側の端部までの距離Ｌは、容器本体２の平面視における短軸Ｚ（図２参照）の長さの１／２よりも長く、長軸Ｙ（図２参照）の長さの１／２より短いものとなっている。
【００４４】  上述したすべての吊下用部材において、吊下用部材は、熱可塑性樹脂により成形することが好ましい。熱可塑性樹脂としては、例えば、ポリオレフィン（ポリエチレン、ポリプロピレン、エチレン−プロピレンコポリマー、ポリプロピレンとポリエチレンもしくはポリブテンの混合物）、ポリエステル（ポリエチレンテレフタレート、ポリブチレンテレフタレート）、ポリアミド、ポリアセタールなど等が挙げられる。なお、吊下用部材は、容器本体と熱溶着し難い材料（例えば、相溶性が低い樹脂の組み合わせを選択する）からなることが好ましい。具体的には、容器本体の材料をポリプロピレン系樹脂とし、吊下用部材の材料をポリエチレン系樹脂、特に高密度ポリエチレン系樹脂とすることが好ましい。これにより、上述したように、ピン状突起２３の上端部を溶融して膨出部２４を形成する際や、医療用液体収納用容器体１を加熱滅菌する際に、膨出部２４と吊下用部材４の貫通孔保有部４４（貫通孔４５の周囲）の下面とが溶着し、吊下用部材４が容器本体２に対して回動不能、もしくは回動させるために溶着を破断する力が必要となることを防止できる。
【００４５】  本発明の薬剤充填済み医療用容器１０は、図１ないし図４に示すように、医療用液体収納用容器体１と、医療用液体収納用容器体１の排出用開口部２２を封止するとともに、薬剤排出用針の接続が可能な排出ポート３と、医療用液体収納用容器体１内に充填された薬剤５とを備える。  排出ポート３は、医療用液体収納用容器体１の排出用開口部２２を封止している。排出ポート３としては、公知のものが使用できる。図示する排出ポート３は、開口端を有する筒状部材３２と、筒状部材３２の開口端を閉塞し、かつ、薬剤排出用針管の接続が可能な封止部３１を有している。そして、筒状部材３２は、後端部に設けられたフランジ３３を備えており、この筒状部材３２のフランジと容器本体２の排出用開口部２２に設けられたフランジ部２５とが液密状態に固着されている。薬剤５としては、どのようなものでもよいが、輸液用の薬液、例えば生理食塩水等が好ましい。
【００４６】  そして、薬剤充填済み医療用容器１０は、スリットを有する側壁を備えた容器トレイ（図示せず）に収納されて運搬されるものであり、吊下用部材４が最も上方に位置した状態、すなわち膨出部２４の下面に当接する位置において、吊下用部材４の下面突出部４６ａ，４６ｂの下面と容器本体２の上面部２６との間に形成される隙間の幅は、容器トレイの側壁の厚みより小さいものとなっていることが好ましい。このようにすることにより、吊下用部材４のベース部４０の下面と容器本体２の上面部２６との間に、スリットの内縁部における容器トレイの側壁が進入することを防止できる。  また、本発明の薬剤充填済み医療用容器は、加熱滅菌されたものであることが好ましい。加熱滅菌処理は、高圧蒸気滅菌法、水浴滅菌法、スプレー滅菌法（シャワー菌滅法）などのいずれの方法で行ってもよく、そのうちでも高圧蒸気滅菌法が好ましい。
【００４７】  次に、本発明の医療用液体収納用容器体１における容器本体２への吊下用部材４の取付方法を図１８ないし図２４を用いて説明する。  最初に、図１８に示すように、所定長延びるピン状突起２３を備える容器本体２を熱可塑性樹脂により作成する。なお、この例では、ピン状突起２３は、先端（上端）に向かって縮径するものとなっている。  そして、図１９ないし図２２に示すような治具７および赤外線カシメ装置８を準備する。
【００４８】  治具７は、２つの可動治具部材７ａ，７ｂからなる。各可動治具部材７ａ、７ｂは、回動軸７４により回動可能に軸支されている。そして、可動治具部材７ａ，７ｂは、回動軸７４を中心として、両者が近接する方向に回動することにより、それぞれが有する支持部７１の切れ込み７２が向かい合い、ピン状突起２３の周囲を囲むように位置することが可能となっている。可動治具部材７ａ，７ｂは、本体部７５と、先端側に設けられた支持部７１と、基端側に設けられた回動軸７４と、支持部７１付近より付近かつ基端側に設けられた切欠部７６とを備えている。そして、支持部７１は、吊下用部材４のベース部の下面と容器本体２の上面部２６との間に進入可能な肉薄の平板に形成されている。また、支持部７１は、可動治具部材７ａ，７ｂが回動することにより向かい合う端面に形成された切れ込み７２を備えている。そして、支持部７１は切れ込み７２と反対側となる側部に形成され、下方に膨出する膨出部７３とを備えている。
【００４９】  さらに、この例の治具７では、切欠部７６は、支持部７１の基端側端面を形成する傾斜部７１ａを備えている。この傾斜部７１ａは、切欠部７６の支持部７１を形成する内縁が、可動治具部材７ａ，７ｂの側縁方向に向かって（言い換えれば、切れ込み７２から膨出部７３方向に向かって）、若干、可動治具部材７ａ，７ｂの先端方向に向かうように傾斜している。このため、切欠部７６の先端部は、可動治具部材７ａ，７ｂの側縁に向かって幅が広がるものとなっている。言い換えれば、切欠部７６の先端部である傾斜部７１ａは、可動治具部材７ａ，７ｂの内縁に向かって基端側に傾斜するものとなっている。さらに、言い換えれば、傾斜部７１ａは、内縁より外縁に向かって、回転軸２４の中心からの距離が、徐々に長くなるものとなっている。
【００５０】  上記のような切欠部７６と傾斜部７１ａを設けることにより、図２１に示すように、可動治具部材７ａ，７ｂの支持部７１は、吊下用部材４の下面に設けられている下面突出部４６ａ，４６ｂに当接することなく、ピン状突起２３の周囲を囲むように位置することが可能である。さらに、図２１に示すように、ピン状突起２３の周囲を囲むように位置した状態の支持部７１と吊下用部材４の下面突出部４６ａ，４６ｂ間のクリアランスも少なく、吊下用部材４の回動を規制している。また、治具７は、後述する赤外線カシメ装置によるピン状突起２３の溶融作業時に溶融しない材料にて形成されている。治具７の形成材料としては、金属、耐熱性樹脂などが好適である。なお、支持部７１は、切れ込み７２によってピン状突起２３を挟持するものであってもよい。
【００５１】  赤外線カシメ装置８は、溶融対象物であるピン状突起２３の先端部が挿入可能な先端開口部８１と、赤外線ランプ８２と、この赤外線ランプ８２から照射される赤外線を開口部方向に反射させるための反射部８４と、カシメ装置内において、上下に移動可能なパンチ部８３とを備えている。  そして、図１９に示すように、容器本体２の上面部２６に吊下用部材４を配置し、吊下用部材４の貫通孔４５を容器本体２のピン状突起２３が貫通する状態とする。そして、吊下用部材４のベース部４０の貫通孔保有部４４（貫通孔４５の周囲）の下面と容器本体２の上面部２６との間となる位置の側方に、治具７（可動治具部材７ａ、７ｂ）を配置する。
【００５２】  そして、図２０および図２１に示すように、配置された可動治具部材７ａ、７ｂをそれらの回動軸７４を中心として回動させる。これにより、吊下用部材４のベース部４０の貫通孔保有部４４（貫通孔４５の周囲）の下面と容器本体２の上面部２６との間に、可動治具部材７ａ、７ｂの支持部７１が進入し、支持部７１の切り込み７２により、容器本体２のピン状突起２３の周囲を囲むように位置する。
【００５３】  そして、ヒンジ部４３を屈曲させる前の状態において、起立操作部４２の下面は、ベース部４０の貫通孔保有部４４（貫通孔４５の周囲）の下面よりも下方に突出していない。このため、冶具７（可動治具部材７ａ、７ｂ）を貫通孔保有部４４（貫通孔４５の周囲）の下面と容器本体２の上面部２６との間に配置する際に、起立操作部４２が邪魔となることがない。また、貫通孔保有部４４（貫通孔４５の周囲）の下面を含むベース部４０の下面４１ｂと起立操作部４２の下面とがほぼ同一の平坦面となっている。このため、冶具７で貫通孔保有部４４（貫通孔４５の周囲）の下面を確実に支えることができる。
【００５４】  続いて、図２３に示すように、カシメ装置８を移動させて、開口部８１内にピン状突起２３の先端部を収納する。そして、赤外線ランプ８２を作動させて、容器本体２のピン状突起２３の先端部を加熱し軟化もしくは溶融させる。そして、パンチ８３を軟化したピン状突起２３に押し当てることにより、ピン状突起２３の先端部（上端部）をパンチ８３の先端部の内面形状に対応した形状に変形させることにより、貫通孔４５を通過不能な膨出部２４を形成する。これにより、吊下用部材４は、容器本体２に離脱不能に取り付けられる。ここで、吊下用部材４は、容器本体２と熱溶着し難い材料からなるため、膨出部２４と吊下用部材４の貫通孔保有部４４（貫通孔４５の周囲）の下面とが溶着し、吊下用部材４が容器本体２に対して回動不能、もしくは回動させるために溶着を破断する力が必要となることを防止できる。
【００５５】  そして、上述した方法では、治具７を用いることにより、治具７の平板部７の厚さ分、吊下用部材４のベース部４０の貫通孔保有部４４（貫通孔４５の周囲）の下面と容器本体２の上面部２６との間に空隙が確保される状態かつ回動可能な状態にて、吊下用部材４を容器本体２に取り付けることができるものとなっている。
【産業上の利用可能性】
【００５６】  本発明の医療用液体収納用容器体は、以下のものである。  （１）  下部に排出用開口部を有する容器本体と、前記容器本体の上面部に、前記容器本体に対して回動可能に取り付けられた吊下用部材とを備える医療用液体収納用容器体であって、  前記容器本体は、前記上面部に設けられ、上方に向かって突出し、かつ、上部に膨出部を有するピン状突起を備える吊下用部材保持部を有し、  前記吊下用部材は、前記ピン状突起が貫通する貫通孔を有する板状のベース部と、前記ベース部の一端側から側方に延びる折り曲げ可能なヒンジ部と、前記ヒンジ部の前記ベース部側と反対側の端部に連結した起立操作部とを備え、前記吊下用部材は、前記貫通孔を前記ピン状突起が貫通し、かつ、前記ベース部の前記貫通孔の周囲の上面が前記膨出部と当接することにより、前記容器本体の前記上面部に回動可能かつ離脱しないように取り付けられており、  前記吊下用部材は、前記ヒンジ部を屈曲させることにより、前記起立操作部を上方に向かって起立可能であり、かつ、起立した前記起立操作部内に前記容器本体を吊り下げるための吊下部が形成されるものとなっており、  さらに、前記吊下用部材の全体は、前記容器本体の前記上面部よりも上方に位置しており、かつ、前記ヒンジ部を屈曲させる前の状態において、前記起立操作部の少なくとも前記ベース部側と反対側の端部の下面と前記容器本体の前記上面部との間に隙間が形成されている医療用液体収納用容器体。【００５７】  特に、この医療用液体収納用容器体では、前記ヒンジ部を屈曲させる前の状態において、起立操作部の少なくともベース部側と反対側の端部の下面と容器本体の上面部との間に隙間を有しているため、起立操作部の起立操作が容易であり、かつ、吊下用部材の全体が容器本体の上面部よりも上方に位置しているため、容器体をスタンドに吊り下げられたとき、吊下部材を基点として、容器本体が良好に回動する。【００５８】  また、上記の医療用液体収納用容器体の実施態様は、以下のものであってもよい。  （２）  前記ベース部は、ベース部本体と、前記貫通孔を有する貫通孔保有部とを備え、前記吊下用部材は、前記貫通孔保有部を挟むように前記ベース部本体の一端側から側方に延びる折り曲げ可能な２つの前記ヒンジ部を備え、前記起立操作部は、２つの前記ヒンジ部の前記ベース部側と反対側の端部同士を連結するＵ字状となっており、かつ、２つの前記ヒンジ部が屈曲する部分を結ぶ仮想線は、前記貫通孔の中心軸付近を通過するものとなっている上記（１）に記載の医療用液体収納用容器体。  （３）  前記隙間は、前記起立操作部の前記ベース部側と反対側の端部に向かって広がるものとなっている上記（１）または（２）に記載の医療用液体収納用容器体。  （４）  前記医療用液体収納用容器体は、前記吊下用部材を前記ピン状突起の上部方向に押し上げることにより、前記隙間が広がるとともに、前記吊下用部材の前記貫通孔の周縁部付近の下面と前記容器本体の前記上面部との間に空隙が形成されるものである上記（１）ないし（３）のいずれかに記載の医療用液体収納用容器体。  （５）  前記吊下用部材は、前記ヒンジ部を屈曲させる前の状態において、前記ピン状突起を軸芯として一周回動させたとき、回��中に前記隙間が常に形成されるものとなっている上記（１）ないし（４）のいずれかに記載の医療用液体収納用容器体。  （６）  起立する前の前記起立操作部は、前記容器本体の前記上面部よりも側方に突出可能である上記（１）ないし（５）のいずれかに記載の医療用液体収納用容器体。  （７）  前記容器本体の前記上面部は、平面視において、短軸と長軸とを有し、前記吊下用部材は、前記貫通孔の中心から前記起立操作部の前記ベース部側と反対側の端部までの距離が、前記短軸の長さの１／２よりも長く、前記長軸の長さの１／２より短いものとなっている上記（１）ないし（６）のいずれかに記載の医療用液体収納用容器体。  （８）  前記吊下用部材は、前記ヒンジ部の屈曲軸が前記短軸と平行な状態では、平面視において前記吊下用部材の全体が前記容器本体の外縁の内側に位置するものである上記（７）に記載の医療用液体収納用容器体。  （９）  前記隙間は、前記ヒンジ部を屈曲させる前の状態において、前記起立操作部の下面全体と前記容器本体の前記上面部との間に形成されている上記（１）ないし（８）のいずれかに記載の医療用液体収納用容器体。  （１０）  前記起立操作部の下面は、前記ヒンジ部を屈曲させる前の状態において、前記ベース部の前記貫通孔の周縁部の下面よりも下方に突出していない上記（１）ないし（９）のいずれかに記載の医療用液体収納用容器体。  （１１）  前記吊下用部材の前記ベース部の下面には、少なくとも、前記ヒンジ部近傍から、前記ベース部の前記一端側と反対側の端部まで、前記ベース部の外縁に沿って突出部が形成されている上記（１）ないし（１０）のいずれかに記載の医療用液体収納用容器体。  （１２）  前記膨出部は、前記ピン状突起の上部を軟化または溶融することにより形成されており、前記容器本体と前記吊下用部材とは、互いに熱溶着し難い材料からなる上記（１）ないし（１１）のいずれかに記載の医療用液体収納用容器体。【００５９】  また、本発明の薬剤充填済み医療用容器は、以下のものである。  （１３）  上記（１）ないし（１２）のいずれかに記載の医療用液体収納用容器体と、前記排出用開口部を封止するとともに、薬剤排出用針の接続が可能な排出ポートと、前記医療用液体収納用容器体内に充填された薬剤とを備える薬剤充填済み医療用容器。
【図１】
2015098920.tif 000003
【図２】
2015098920.tif 000004
【図３】
2015098920.tif 000005
【図４】
2015098920.tif 000006
【図５】
2015098920.tif 000007
【図６】
2015098920.tif 000008
【図７】
2015098920.tif 000009
【図８】
2015098920.tif 000010
【図９】
2015098920.tif 000011
【図１０】
2015098920.tif 000012
【図１１】
2015098920.tif 000013
【図１２】
2015098920.tif 000014
【図１３】
2015098920.tif 000015
【図１４】
2015098920.tif 000016
【図１５】
2015098920.tif 000017
【図１６】
2015098920.tif 000018
【図１７】
2015098920.tif 000019
【図１８】
2015098920.tif 000020
【図１９】
2015098920.tif 000021
【図２０】
2015098920.tif 000022
【図２１】
2015098920.tif 000023
【図２２】
2015098920.tif 000024
【図２３】
2015098920.tif 000025
【図２４】
2015098920.tif 000026
【国際調査報告】
2015098920.tif 000027
2015098920.tif 000028
2015098920.tif 000029
2015098920.tif 000030